(57)【要約】【課題】絵画、写真等の掲示物を、より容易かつ迅速に装着することが可能なパネルを提供すること。【解決手段】基台２と、基台２の上面に配置された透明体４を具備したパネルであって、透明体４は複数個のマグネット又は磁性体５を具備し、基台２における透明体４に配設したマグネット又は磁性体５に対向する箇所に、透明体４に配設したマグネット又は磁性体３に吸着可能なマグネット又は磁性体３を具備して、これにより、透明体４を磁力によって基台２に吸着することで、基台２と透明体４で絵画、写真等の掲示物を挟持可能にし、絵画、写真等の掲示物をより容易かつ迅速に装着することを可能にするとともに、絵画、写真等の入れ替えを繰り返した場合でも透明体を確実に支持することを可能にし、更に、透明体の位置決めを容易に行うことを可能にした。【選択図】図１
0003179949.tif 000002
【実用新案登録請求の範囲】
【請求項１】
基台（２）と、該基台（２）の上面に配置された透明体（４）と、を具備したパネルであって、
前記透明体（４）は複数個のマグネット又は磁性体（５）を具備し、
前記基台（２）は、前記透明体（４）に具備したマグネット又は磁性体（５）に吸着可能なマグネット又は磁性体（３）を具備し、
前記透明体（４）を磁力によって前記基台（２）に吸着することで、前記基台（２）と透明体（４）で絵画、写真等の掲示物を挟持可能にしたことを特徴とするパネル。
【請求項２】
前記透明体（４）の裏面に複数個のマグネット又は磁性体（５）を具備し、
前記基台（２）の上面に前記透明体（４）に具備したマグネット又は磁性体（５）に吸着可能なマグネット又は磁性体（３）を複数個配設したことを特徴とする請求項１に記載のパネル。
【請求項３】
前記透明体（４）の裏面に複数個のマグネット又は磁性体（５）を具備し、
前記基台（２）を前記透明体（４）に具備したマグネット又は磁性体（５）に吸着可能な磁性体により形成した、ことを特徴とする請求項１に記載のパネル。
【考案の詳細な説明】
【技術分野】
【０００１】
本考案は、絵画、写真等を装着可能としたパネルに係り、より詳しくは、マグネットの磁力を用いることで、容易に絵画、写真等を装着可能にしたパネルに関する。
【背景技術】
【０００２】
従来から、絵画、写真等を飾る場合には額縁が用いられている。即ち、この額縁は、長尺状のフレーム材を四角形状に枠組みすることにより構成された枠体と、この四角形状に枠組みされた枠体内に支持された透明体と、この透明体の裏面に重ね合わされる配置で枠体内に支持される裏板を備えており、透明体と裏板の間に絵画、写真等を挟み込むことにより額縁に絵画、写真等を額装し、その後この額縁を壁等に掛けることにより、絵画、写真等を所望する箇所に飾ることを可能としている。
【０００３】
ここで、従来から一般的に用いられている額縁について図面を参照して説明すると、図５は一般的な額縁の縦断側面を示す図であり、また、図６は一般的な額縁の背面図であり、図において３１が一般的な額縁である。
【０００４】
そして、この従来から用いられている額縁３１では、長尺状のフレーム材を四角形状に枠組みした枠体３２を備えている。
【０００５】
また、この枠体３２は、裏面における内周側全域に載置棚部３３が形成されているとともに、この載置棚部３３に周縁部が載置される配置において、前記枠体３２の内周側には、透明体３４が係止されている。
【０００６】
更に、この透明体３４の裏面には、透明体３４とほぼ同一の形状寸法を有する裏板３５が重ね合わされており、この裏板３５は、その裏面において、前記枠体３２の裏面に回動自在に備えた、「トンボ」と呼ばれる係止部材３７によって前記枠体３２の内周側に支持されており、これにより、前記枠体３２内には透明体３４及び裏板３５が、重ね合わされた状態で係止されている。
【０００７】
そして、使用に際しては、透明体３４及び裏板３５によって絵画、写真等を挟み込んだ状態において、透明体３４、および裏板３５を前記枠体３２内に係止することで絵画、写真等を額装し、この状態で額縁３１を壁等に引っ掛け、これにより絵画、写真等を所望する箇所に装着して飾ることを可能としている。
【０００８】
しかしながら、前述した一般的な額縁３１に写真等を額装する場合には、絵画、写真等を挟持した透明体３４及び裏板３５を枠体３２に係止し、その後に、係止部材３７を回動して裏板３５を枠体に固定しなければならないために、写真等の額装作業が繁雑にならざるを得なかった。
【０００９】
また、トンボ等の係止部材３７を用いて裏板３５を枠体に固定する方法においては、絵画、写真等の入れ替えを繰り返した場合には係止部材３７にガタが生じてきてしまい、係止部材として確実に裏板３５を固定することが困難になってしまう場合も考えられる。
【００１０】
そのために本考案は過去において、マグネットの磁力を用いることにより、絵画、写真等の額装作業を容易にすることが可能であるとともに、絵画等の入れ替えを繰り返した場合でも挟持している絵画等の脱落を防止することも可能としたフレームを提案した。
【００１１】
即ち、このフレームでは、表面側フレームとこの表面側フレームの裏面に重ね合わされる支持側フレームを有して、表面側フレームと支持側フレームで２枚の透明体を挟持する構成として、表面側フレームと支持側フレームを互いに、磁力により吸着可能にしたことを特徴としている。
【００１２】
また他の形態では、フレーム本体の内周に２枚の透明体を支持する構成にし
フレーム本体を複数のフレーム片に分割するとともに、磁力によってフレーム片を互いに吸着可能としたことを特徴としている。
【００１３】
従ってこれらのフレームによれば、絵画、写真等の額装に際して、係止部材を回動して裏板を固定する必要がないために、写真等の額装作業が容易であるとともに、係止部材を用いずに磁力により透明体を支持しているために、絵画、写真等の入れ替えを繰り返した場合でも透明体を確実に支持することが可能である。
【先行技術文献】
【特許文献】
【００１４】
【特許文献１】実用新案登録第３１１５２８５号公報
【特許文献２】実用新案登録第３１１５２８６号公報
【考案の概要】
【考案が解決しようとする課題】
【００１５】
しかしながら、前述のマグネットを用いたフレームにおいても、表面側フレームと支持側フレーム間に透明体を挟持し、あるいはフレーム本体の内周に透明体を支持する構成であるために、透明体を挟持しつつ表面側フレームと支持側フレームを互いに吸着させ、あるいは、フレーム片を互いに吸着させながらフレーム本体の内周に２枚の透明体を支持させていく必要があるために、更に容易かつ迅速に、絵画、写真等を装着して飾ることが可能な製品が望まれていた。
【００１６】
そこで、本考案は、絵画、写真等の掲示物を、より容易かつ迅速に装着することが可能なパネルを提供することを課題としている。
【課題を解決するための手段】
【００１７】
本考案のパネルは、
基台と、該基台の上面に配置された透明体と、を具備したパネルであって、
前記透明体は複数個のマグネット又は磁性体を具備し、
前記基台は、前記透明体に具備したマグネット又は磁性体に吸着可能なマグネット又は磁性体を具備し、
前記透明体を磁力によって前記基台に吸着することで、前記基台と透明体で絵画、写真等の掲示物を挟持可能にしたことを特徴としている。
【考案の効果】
【００１８】
本考案のパネルでは、基台とこの基台の上面に配置された透明体を有しているとともに、透明体は複数個のマグネット又は磁性体を具備して、基台は透明体に具備したマグネット又は磁性体に吸着可能なマグネット又は磁性体を具備しており、透明体を磁力によって基台に吸着することで、基台と透明体で絵画、写真等の掲示物を挟持可能にしている。
【００１９】
そのために、本考案のパネルでは、基台上に絵画、写真等の掲示物を配置した状態で、透明体を基台の上面に重ねるのみで、磁力によって透明体を基台に吸着して、基台と透明体とで絵画、写真等の掲示物を支持することができる。
【００２０】
従って、本考案のパネルによれば、絵画、写真等の掲示物を、より容易かつ迅速に装着することが可能であり、更に、本考案のパネルは透明体を基台に被せるとともに、磁力によって透明体を基台に吸着しているために、絵画、写真等の入れ替えを繰り返した場合でも透明体を確実に支持することが可能である。
【図面の簡単な説明】
【００２１】
【図１】本考案のパネルの実施例の斜視図である。
【図２】本考案のパネルの実施例の分解図である。
【図３】図１におけるＡ−Ａ線断面構造を示す図であり、本考案のパネルの実施例の構造を説明するための図である。
【図４】本考案のパネルの他の形態を説明するための分解図である。
【図５】一般的な額縁を説明するための図である。
【図６】一般的な額縁を説明するための図である。
【考案を実施するための形態】
【００２２】
本考案のパネルでは、直方体状の基台を有しており、この基台の上面には透明体が配置されている。
【００２３】
そして、透明体には複数個のマグネット又は磁性体が備えられており、基台には、透明体に備えられたマグネット又は磁性体に吸着可能なマグネット又は磁性体が備えられており、これにより、透明体を磁力によって基台に吸着することで、基台と透明体で絵画、写真等の掲示物を挟持可能にしている。
【００２４】
ここで、透明体の裏面に複数個のマグネット又は磁性体を具備し、一方、基台の上面に、透明体に具備したマグネット又は磁性体に吸着可能なマグネット又は磁性体を複数個配設するとよく、これにより、透明体を容易に基台の上面に吸着することが可能である。
【００２５】
またその他、透明体の裏面に複数個のマグネット又は磁性体を具備するとともに、基台の全体を、透明体に具備したマグネット又は磁性体に吸着可能な磁性体により形成してもよく、これによると、透明体を容易に基台の上面に吸着することが可能であるとともに、基台の製造が容易となる。
【実施例１】
【００２６】
本考案のパネルの実施例について図面を参照して説明すると、図１は、本実施例のパネルの斜視図であり、また、図２は本実施例のパネルの分解図、図３は図１におけるＡ−Ａ線断面構造を示した図であり、図において１が本実施例のパネルであり、また、図において６は、本実施例のパネル１に装着した絵画、写真等の掲示物である。
【００２７】
そして、本実施例のパネル１は、基台とこの基台の上面に配置された透明体を有しており、基台と透明体によって絵画、写真等の掲示物を挟持することで、絵画、写真等の掲示物を装着可能としている。
【００２８】
ここで、前記基台について説明すると、図において２が基台であり、本実施例において前記基台２は、木製の直方体形状としている。
【００２９】
また、前記基台２の上面には複数個のマグネットを配設しており、本実施例においては、長手方向に向いた前方側及び後方側のそれぞれにおいて、幅方向の中央部分近傍にそれぞれに、ボタン型マグネット３を１個ずつ埋め込んでおり、合計で２個のマグネット３を、基台２の上面に配設している。
【００３０】
なお、前述の説明では、基台を木製としたが、必ずしも基台２を木製にする必要はなく、その他、金属製、アクリル製、紙製でもよい。また、マグネット３は必ずしもボタン型にする必要はなく、形状は特に限定されず、また、シート状にしてもよい。さらに、マグネットは必ずしも基台に埋め込む必要はなく、基台２に固着してあればよい。
【００３１】
次に、図において４は透明体である。即ち、本実施例のパネル１では前記基台２の上部に透明体４が配置されており、前述したように、透明体４と前記基台２の上面とで、絵画、写真等の掲示物を挟持することとしている。
【００３２】
ここで、前記透明体４について説明すると、本実施例において前記透明体４は、透明なアクリル製で、前記基台２の上面とほぼ同一の形状としており、基台２の上面全域を覆うこととしている。
【００３３】
そして、前記透明体４の裏面にはマグネットが配設されている。即ち、図において５がマグネットであり、本実施例において前記透明体４の裏面には、前記基台２に配設したマグネット３に吸着可能なマグネット５が配設されており、本実施例においてこの透明体４の裏面に配設したマグネット５は、ボタン型のマグネットを用いており、このボタン型のマグネットを、前記基台２に配設したマグネットに対向する箇所に埋め込まれている。従って、本実施例においては、合計で２個のマグネット５を、透明体４の裏面に配設している。
【００３４】
そのために、本実施例のパネル１では、基台２の上面に絵画、写真等の掲示物６を載置した状態で、透明体４を基台２の上部に重ね合わせると、マグネット３、５の磁力によって、前記透明体４が前記基台２に吸着され、これにより、前記基台２と透明体４で絵画、写真等の掲示物６を挟持することが可能である。
【００３５】
次に、このように構成される本実施例のパネルの作用について説明すると、本実施例のパネルに絵画、写真等の掲示物を装着する場合には、前記基台２の上面に絵画、写真等６を配置し、この状態で、透明体４を、基台２の上面を覆うような配置で基台２の上部に重ね合わせる。
【００３６】
そうすると透明体４は、マグネット３、５の磁力によって前記基台２に吸着され、これにより、前記基台２と透明体４で絵画、写真等の掲示物６を挟持してパネル１に装着することが可能である。
【００３７】
このように、本実施例のパネルでは、基台と透明体の双方にマグネットを配設してマグネットの磁力によって透明体を基台に係止することとしているために、基台上に絵画、写真等の掲示物を配置した状態で透明体を基台の上面に被せるのみで、絵画、写真等の掲示物を装着することができ、従って、絵画、写真等の掲示物を、より容易かつ迅速に装着することが可能であるとともに、絵画、写真等の入れ替えを繰り返した場合でも透明体を確実に支持することが可能である。
【００３８】
また、基台２の前方側と後方側のそれぞれに合計で２個のマグネットを配設するとともに、この基台２に配設したマグネットに吸着可能な配置で、透明体４の裏面において前記基台２に配設したマグネットに対向する２箇所にマグネット５を配設しているために、透明体４をラフな位置で基台２の上部に載置した場合には基台２に配設したマグネット３と透明体４に配設したマグネット５が互いに吸着し合い、従って、マグネットの磁力で自動的に位置決めが行われるので、透明体の位置決めを容易に行うことが可能である。
【００３９】
更に、磁力によって透明体を基台に吸着することとしているために、ネジ等によって透明体を基台に固定する場合と異なり、基台の上面の全面に絵画、写真等の掲示物を載置した場合でも、絵画、写真等の掲示物を傷つけること無く透明体を基台に吸着することができ、基台の全面を有効に活用することが可能である。
【００４０】
更にまた、本実施例のように基台及び透明体の複数個所にマグネットを配置することで、このマグネットの配置をデザイン化することができ、単なるマグネットとしての作用以上の効果を得ることも可能となる。
【００４１】
なお、前述の実施例では、基台と透明体の双方にマグネットを配設した形態を説明したが、必ずしも基台と透明体の双方にマグネットを配設する必要は無く、基台と透明体のいずれかにマグネットを配設して、他方には、基台と透明体のいずれかに配設したマグネット吸着可能な磁性体を配設してもよい。また、マグネットの形状や配設箇所は特に限定されず、透明体４を基台２に係止可能であれば、いずれの形状のマグネットをいずれの箇所に配設してもよい。
【００４２】
更に、透明体４に配設するマグネット５は必ずしも透明体４の裏面に配設する必要はなく、磁力の強いマグネットを用いて透明体４の表面に配置してもよい。
【００４３】
更にまた、前述の実施例では、透明体をアクリル製として基台を木製としたが、前述したように、必ずしも、透明体をアクリル製にして基台を木製する必要は無く、そのほかの素材で透明体、基台を構成してもよい。
【００４４】
また、本考案のパネルでは、前述したように、透明体にマグネットを配設するとともに、基台には、透明体に配設したマグネット吸着可能な磁性体を具備してもよいが、このとき、基台２の全体を磁性体により構成しても良い。即ち、図４は基台２の全体を磁性体により構成した形態の分解図であり、図４に示す形態では、透明体４を厚みのあるアクリル製の直方体状とするとともにその裏面に複数個のマグネット５を配設しており、一方、基台２は、薄めの板状にするとともに全体を金属製としている。即ち、図４に示す形態では、透明体４の裏面に配設したマグネット５に吸着可能な磁性体で基台２を形成し、これにより、透明体４と基台２を互いに吸着可能としているが、本考案のパネル１では、このように基台２を磁性体により形成してもよい。
【産業上の利用可能性】
【００４５】
本考案のパネルは、基台とともに絵画、写真等を挟持する透明体をマグネットの磁力によって基台に吸着することで、絵画、写真等を容易に装着可能としているために、基台と透明体で絵画、写真等を挟持するパネルの全般に適用可能である。
【符号の説明】
【００４６】
１    パネル
２    基台
３    マグネット（基台側）
４    透明体
５    マグネット（透明体側）
６    絵画、写真
【図１】
0003179949.tif 000003
【図２】
0003179949.tif 000004
【図３】
0003179949.tif 000005
【図４】
0003179949.tif 000006
【図５】
0003179949.tif 000007
【図６】
0003179949.tif 000008